(57)【要約】    【課題】消火栓装置の開放構造を簡単にしてコストを低減すると共に扱い易くする。    【解決手段】内部に消火栓弁と消火ホースを収納した消火栓装置１０の収納箱前面の開口部１４に下側にロールスクリーン装置２６を配置し、ロールスクリーン装置２６から不燃性又は難燃性のスクリーン２４のよる巻き出し又は巻き込みにより開口部１４を開閉自在とする。スクリーン開閉操作部３０は、ロールスクリーン装置２６から巻き出したスクリーン２４の先端の支持部材２８を保持して開口部１４を閉鎖しており、ハンドルレバー３２を回動操作すると支持部材２８の保持が解除され、スクリーン２４をロールスクリーン装置２６に巻き取って開放させる。開口部１４の左右周縁に配置されたガイド溝５２は、スクリーン２４の先端に設けた支持部材２８の両端を嵌め入れて案内移動させる。    【選択図】図１
0003197812.tif 000002
【実用新案登録請求の範囲】
【請求項１】
前面に開口した収納箱の内部に消火ホースを収納した消火栓装置に於いて、
不燃性又は難燃性の繊維シートからなり、前記収納箱前面の開口部を開閉自在なスクリーンと、
前記開口部の下端に配置され、前記開口部を開放した場合に前記スクリーンを収納する収納部と、
前記開口部の上端に配置され、前記スクリーンの先端を前記開口部の上端に保持して前記開口部を閉鎖すると共に、所定の開放操作により前記スクリーンの先端保持を解除して前記開口部を開放させるスクリーン開閉操作部と、
前記開口部の左右周縁に配置され、前記スクリーンの先端に設けた支持部材の両端を嵌め入れて案内移動させるガイド溝と、
を備えたことを特徴とする消火栓装置。
【請求項２】
請求項１記載の消火栓装置に於いて、前記収納部を前記開口部の背後に配置したことを特徴とする消火栓装置。
【考案の詳細な説明】
【技術分野】
【０００１】
本考案は、火災時の消火活動に使用される消火ホースと消火栓弁を収納した消火栓装置に関する。
【背景技術】
【０００２】
従来、建物内で発生した火災を消火するための消火栓装置としては例えば図１２乃至図１４に示すのもが知られている。
【０００３】
図１２は従来の消火栓装置の正面図であり、消火栓装置１００は金属製の収納箱１０２の前面に、図示しない蝶番構造等を介して開閉自在に消火栓扉１０４を設け、また消火栓扉１０４の上部には通報パネル１０６が設けられ、ここに発信機１０８、赤色表示灯１１０、及び内蔵した警報用スピーカに対応して音響孔１１２を設けている。
【０００４】
赤色表示灯１１０は常時点灯し、消火栓装置１００の設置場所が遠方から視認できるようにしている。火災時には、発信機１０８中央に設けたボタンを押圧操作することでボタン内側のスイッチをオンすると、発信信号が監視室の防災受信盤に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
図１３は図１２に示した消火栓装置１００の消火栓扉１０４を取り外した状態で内部構造を示した説明図であり、収納箱１０２の内部には消火栓弁１１４が配置され、消火栓弁１１４には先端にノズル１１８を装着した消火ホース１１６が連結接続され、図示の如くホルダー１２０に折り畳み状態で掛けることで引き出し自在に収納している。図１４はこの消火栓扉１０４を開放した状態であり、図１３に示した内部構造は省略している。
【０００６】
通常時、消火栓装置１００の消火栓扉１０４は図１２に示した如く閉じられており、適宜の扉ロック機構等により閉状態に維持されている。そして火災が発生した場合には、扉ロック機構等を操作して扉閉状態を解除して図１４のように消火栓扉１０４を開き、例えば一人がノズル１１８を持ちながら消火ホース１１６を引き出して火災発生場所（消火対象）に向かい、もう一人が発信機１０８を操作して通報すると共に消火栓弁１１４を開放操作するといったように、二人ないしそれ以上で消火活動を行う。これは、ホースの引出中に消火栓弁１１４を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号文献
【特許文献２】実開平０４−０７００５７号公報
【特許文献３】実開平０３−０８８５６２号公報
【特許文献４】特開２００９−２９１５０９号公報
【特許文献５】実開昭４９−０７５５９６号公報
【特許文献６】特開２００９−２７１６８９号公報
【考案の概要】
【考案が解決しようとする課題】
【０００９】
ところで、従来、このような消火栓装置を使用した消火活動における統計結果として、火災発生時の消火栓の使用例に対し奏功率は１０％に留まることが報告されている。これはスプリンクラー消火設備の奏功率が６０〜７０％にあることと対比すると、消火栓の奏功率はかなり低い結果となっている。
【００１０】
このように消火栓装置の奏功率が低い要因は、消火栓装置は通常時、図１２に示したように消火栓扉１０４が閉じていて内部を見ることができないため、図１３に示すような消火栓弁と消火ホースを収納した内部構造が充分知られておらず、また、火災が発生した場合に図１４のように消火栓扉１０４を開いても、角度によっては扉に遮られて内部が見えづらいために扱い難いことに起因している。また、消火栓扉１０４の前にものが置かれている場合などには、扉が迅速に開放できないといったことも考えられる。
【００１１】
また金属製の消火栓扉を使用して堅牢に閉鎖している印象を強く与えるため、日常的に消火栓扉を開いて内部を確認するといったことは行われにくく必要時に扱いがわかりにくい要因のひとつともなっている。
【００１２】
また、従来の消火栓装置は、耐火構造を実現するために、金属製の収納箱に同じく金属製の消火栓扉を設けており、開閉構造やロック構造等が複雑であるだけでなく所定以上の強度も求められ、コスト的に高価になるという問題もあった。
【００１３】
本考案は、上記問題点を解決し、消火栓装置の開閉構造を簡単にして扱い易くすると共にコストも低減する消火栓装置を提供することを目的とする。
【課題を解決するための手段】
【００１４】
本考案は、前面に開口した収納箱の内部に消火ホースを収納した消火栓装置に於いて、
不燃性又は難燃性の繊維シートからなり、収納箱前面の開口部を開閉自在なスクリーンと、
開口部の下端に配置され、開口部を開放した場合にスクリーンを収納する収納部と、
開口部の上端に配置され、スクリーンの先端を開口部の上端に保持して開口部を閉鎖すると共に、所定の開放操作によりスクリーンの先端保持を解除して開口部を開放させるスクリーン開閉操作部と、
開口部の左右周縁に配置され、スクリーンの先端に設けた支持部材の両端を嵌め入れて案内移動させるガイド溝と、
を備えたことを特徴とする。
【００１５】
ここで、収納部を記開口部の背後に配置する。
【考案の効果】
【００１６】
本考案によれば、消火栓弁と消火ホースを収納した収納箱の開口を、ロールスクリーン装置から巻き出した不燃性又は難燃性のスクリーンで覆うようにしたため、従来の金属製の消火栓扉に比べ、構造が大幅に簡略化されると共に軽量化され、コストダウンを図ることができる。
【００１７】
またスクリーン開閉部の操作によりスクリーン先端の保持を解除してロールスクリーン装置に巻き取って開口部を開くことから、従来扉開放に伴って必要としていた消火栓装置前方側のスペースを不要とすることができ、即ち従来の消火栓扉のように、扉開放の際、当該扉が装置前側に突出することがなく、また消火栓弁や消火ホース等を収納した内部構造を外部から容易に確認することができ、その結果、取扱いが容易となり、消火栓装置による消火活動の奏功率を高めることが期待できる。
【００１８】
またロールスクリーンを構成する部材を例えば透明或いは半透明状として外部から内部構造を視認可能とすることで、常時から内部構造を目にする機会を増やすことができるので、必要時の取扱に対する抵抗感を軽減することができる。
【図面の簡単な説明】
【００１９】
【図１】本考案による消火栓装置の実施形態を正面から示した説明図
【図２】図１の消火栓装置のスクリーン閉鎖状態と開放状態の縦断面を示した説明図
【図３】図１の消火栓装置の横断面を３段階に分けて示した説明図
【図４】図１のロールスクリーン装置を取り出して示した説明図
【図５】図４のロールスクリーン装置の巻取り機構を取り出して示した説明図
【図６】スクリーン開閉操作部に対するスクリーン先端の保持構造を示した説明図
【図７】スクリーン開閉操作部の操作手順を示した説明図
【図８】スクリーンを途中まで開いた状態を示した説明図
【図９】スクリーンの全開状態を示した説明図
【図１０】スクリーンを横開きする本考案による消火栓装置の他の実施形態を正面から示した説明図
【図１１】図１０の消火栓装置におけるスクリーンの全開状態を示した説明図
【図１２】従来の消火栓装置を示した正面図
【図１３】従来の消火栓装置について消火栓扉を取り外して内部構造を示した説明図
【図１４】従来の消火栓装置について消火栓扉の開放状態を示した説明図
【考案を実施するための形態】
【００２０】
図１は本考案による消火栓装置の実施形態を例示した説明図である。図１において、本実施形態の消火栓装置１０は、内部に図１３の従来例と同様に、消火栓弁と消火ホースを収納した金属製の収納箱１２を備え、収納箱１２前面開口１４の下部側に配置したロールスクリーン装置２６から不燃性又は難燃性の繊維シートからなるスクリーン２４を上部に巻き出して（引き出して）当該開口１４を閉鎖している。
【００２１】
ロールスクリーン装置２６から巻き出されたスクリーン２４の先端（上端）には棒状の支持部材２８が装着されており、支持部材２８の軸両端はそれぞれ、開口１４の左右両内側（収納箱１２の内部側）に、収納箱上下方向に沿ってスリット状に形成されたガイド溝５２に、スリット方向に略直交して所定長さを非固定に差し込まれ、左右方向の移動を規制されつつガイド溝５２（スリット）に沿って上下方向に案内移動可能になっている。
【００２２】
支持部材２８の軸方向略中央にはフック金具４０（図２）が設けられ、スクリーン開閉操作部３０の後述するフック爪５４を、フック金具４０のフック穴５６に押圧挿通させ、これによりスクリーン２４を閉鎖状態に保持している。
【００２３】
消火栓装置１０を使用する際には、ハンドルレバー３２を例えば下向き（右回り）に回動操作すると、フック金具４０からフック爪５４が抜けて（挿通状態が解除されて）支持部材２８の保持が解除され、ロールスクリーン装置２６がスクリーン２４を自動的に巻き取り、開口１４が開放される。
【００２４】
また収納箱１２の上部には通報パネル１６が設けられ、ここに発信機１８、赤色表示灯２０、及び内臓したスピーカなどに対応する音響孔２２を設けている。
【００２５】
図２は図１の消火栓装置の本考案に係る概略構造を縦断面で示しており、図２（Ａ）はスクリーン閉鎖状態、図２（Ｂ）はスクリーン開放状態である。
【００２６】
図２（Ａ）において、収納箱１２前面側開口１４の下部にはロールスクリーン装置２６が配置されており、ロールスクリーン装置２６からはスクリーン２４が上方に巻き出され、先端に設けた支持部材２８のフック金具４０（図２（Ｂ）参照）を、開口１４の上部、収納箱１２の内側に配置したスクリーン開閉操作部３０で保持している。
【００２７】
ロールスクリーン装置２６は後述するようにコイルバネを内蔵しており、スクリーン２４の巻き出しに伴うローラパイプの回転でコイルバネを巻き込み、スクリーン２４を巻き出して開口１４を閉鎖した状態でも、巻き込む方向の力を継続的に（常時）スクリーン２４に加えている。
【００２８】
スクリーン２４を閉鎖状態に保持しているスクリーン開閉装置３０は、操作部本体となる操作ボックス５０から外部にハンドルレバー３２を取り出しており、ハンドルレバー３２を回動操作するとフック金具４０の保持が解除され、スクリーン２４は上述した巻き込み方向の力への抗力を失うため、ロールスクリーン装置２６によりガイド溝に５２沿って自動的に下方に巻き取られ、図２（Ｂ）に示すように、開口１４は開放状態となる。
【００２９】
図３は図１の図１の消火栓装置の本考案に係る概略構造を横断面で示しており、図３（Ａ）は底部側、図４（Ｂ）はスクリーン先端位置（支持部材２８を設けた位置）、図３（Ｃ）はスクリーン開閉操作部３０の位置を示している。
【００３０】
図３（Ａ）に示した収納箱１２の底部側については、開口１４の背後（収納箱１２内部前面側）にロールスクリーン装置２６が配置されている。また図３（Ｂ）のスクリーン先端位置については、スクリーン先端に設けた支持部材２８の軸方向略中央内側（収納箱１２内部側）にフック金具４０が張り出し形成され、支持部材２８の両端は開口１４の両側内側に形成したガイド溝５２に案内移動自在に差し込まれている。
【００３１】
更に図３（Ｃ）のスクリーン開閉装置３０の位置については、支持部材２８に設けたフック金具４０のフック穴５６に、スクリーン開閉操作部３０の操作ボックス５０の側面に設けたフック爪５４が挿通して保持している。フック爪５４はハンドルレバー３２を下向きに回動すると操作ボックス５０内部に引き込まれ、フック金具４０のフック穴５６から抜けて保持を解除する。
【００３２】
図４は図１の消火栓装置１０に設けたロールスクリーン装置２６を取り出して示している。ロールスクリーン装置２６は基台３６の左右両側にサイドホルダ３８を起立し、両サイドホルダ３８の間にローラパイプ３４を回転自在に支持し、ローラパイプ３４にはスクリーン２４の下端が固定された状態で巻き込まれている。
【００３３】
スクリーン２４の上端には支持部材２８が装着され、支持部材２８の左右両端はガイド部２８ａとなり、収納箱開口両側に形成されたスリット状のガイド溝５２にそれぞれ所定長さを差し込まれる。なお、ガイド部２８ａには必要に応じてガイドローラを装着することで、ガイド溝をより滑らかに案内移動可能としても良い。
【００３４】
支持部材２８の軸方向略中央にはフック金具４０が設けられ、収納箱１２の開口１４側に配置されたスクリーン開閉操作部３０と協動してスクリーンの開閉を行う。なお、スクリーン２４を巻き出して行う開口１４の閉鎖は、スクリーン上端の支持部材２８を手で持って、先述のコイルバネによる巻き取り方向の力に抗して引き上げることになるが、この操作を容易にするため、支持部材２８の前方（収納箱前面外部側）に適宜の把手を設けるようにしても良い。
【００３５】
図５はロールスクリーン装置２６要部の内部構造概略を例示している。図５において、基台３６に起立されたサイドホルダ３８の内側（他方のサイドホルダ３８に対向する側）には固定フランジ４４が配置され、固定フランジ４４と同軸に固定軸４２が延在されている。固定軸４２の軸方向所定位置には回転フランジ４６が固定軸４２の周囲に回転自在に配置され、回転フランジ４６の外周に、円筒（中空パイプ）状に形成したロールバイプ３４の内周を固定している。
【００３６】
固定フランジ４４と回転フランジ４６との間には図示の如く固定軸４２と同軸にコイルバネ４８が配置され、コイルバネ４８の左端は固定フランジ４４に固定され、コイルバネ４８の右端は回転フランジ４６に固定されている。
【００３７】
コイルバネ４８はローラパイプ３４にスクリーンを巻き取った初期位置でフリー状態又は初期的な巻込み状態にあり、スクリーンの巻き出し操作に伴うローラパイプ３４の回転によりコイルバネ４８が巻き込まれ、コイルバネ４８がこれに抗して復元しようとする性質により、スクリーン２４の巻き出し量に応じてローラパイプ３４にスクリーン２４の巻き取り方向の回転力を蓄積する。
【００３８】
なお、図５では基本的な構造例を示したが、これに加えコイルバネ４８に蓄積した力でスクリーンを巻き込んで停止する際の衝撃を吸収する制動機能を備えた停止機構や、適宜のスクリーン巻き出し位置で巻き込みを停止して保持するクラッチ機構などを必要に応じて設けることができる。このような構造が例えば、特開２００９−１０２９１６号公報に記載されている。
【００３９】
図６は図１の消火栓装置１０におけるスクリーン開閉操作部３０に対するスクリーン上端の保持構造を取り出して示した説明図である。スクリーン２４の上端に設けた支持部材２８は中空のパイプ部材であり、その軸方向略中央（図３（Ｃ）に示したフック爪５４に対応する位置）に、プレート部材を延在したフック金具４０を固定しており、フック金具４０にはフック爪５４が挿通自在となるよう、矩形のフック穴５６が開口している。
【００４０】
一方、収納箱１２の開口１４側に固定されるスクリーン開閉操作部３０は、操作ボックス５０から消火栓装置１０の外側前方に向けて取り出した操作軸にハンドルレバー３２を取付けており、また操作ボックス５０の側面にはフック爪５４を突出させている。
【００４１】
フック爪５４はフック金具４０が下方から当接する側の面を、先端に向かって上方に傾いたテーパ面としており、フック金具４０を下側から押し当てるとフック金具４０がこのテーパ面に沿って徐々に上方へ移動しつつ、一方フック爪５４は操作ボックス５０の内蔵バネ（図示省略）の押し出し力（フック爪５４を突出させる力）に抗して操作ボックス５０内に押し込まれ、フック穴５６がフック爪５４を挿通可能な位置に至ると、内蔵バネの押し出し力への抗力が失われることによりフック爪５４が押し出されて（突出して）フック穴５６に挿通保持される。
【００４２】
またハンドルレバー３２を図示の水平位置から下向きに回動すると、操作ボックス５０内のリンク機構又はカム機構（図示省略）を介してフック爪５４が操作ボックス５０内に引き込まれ、フック金具４０の保持を解除することができる。このようなフック金具４０とスクリーン開閉操作部３０の組合せによる機構構造は、例えば一般的なドアハンドルに使用されているドア開閉操作機構と同様の構造を利用できる。
【００４３】
特に本実施形態のスクリーン開閉操作部３０は、日常生活で使用しているドア開閉のハンドルレバーと同様の構造であることから、ハンドルレバー３２の操作に違和感が全くなく、火災という非常時であっても抵抗感無く簡単且つ確実に操作してスクリーン２４を開くことができる。
【００４４】
図７は図６に示したスクリーン開閉操作部の操作手順を示した説明図である。図７（Ａ）はスクリーン２４により開口を閉鎖した状態であり、スクリーン２４の上部の支持部材２８に設けたフック金具４０のフック穴５６にスクリーン開閉操作部３０のフック爪５４を挿通して保持している。
【００４５】
図７（Ｂ）はスクリーンの開放操作であり、スクリーン開閉装置３０のハンドルレバー３２を矢印で示すように回動操作するとフック爪５４が操作ボックス５０内に引き込まれ、フック金具４０の保持が解除される。
【００４６】
図７（Ｃ）はスクリーンの開放の初期段階であり、フック金具４０の保持解除に伴いクリーン２４は下部に配置しているロールスクリーン装置２６による巻き込み作用により下降して収納箱１２の前面開口１４を外部に開放することになる。
【００４７】
図８はスクリーンの開放途中の状態を示した説明図であり、図９にスクリーンの全開状態を示している。図９の全開状態に示すように、スクリーン２４は下部に配置したロールスクリーン装置２６に巻き込まれるため、従来の扉のように収納箱１２の前方に対する飛び出し部分が発生せず、スクリーン２４が開いた収納箱１２の内部に図１３の従来例と同様に収納しているノズル付き消火ホースの引き出しや消火栓弁の操作に容易に着手することができる。また消火作業が終了した後に消火ホースを元に戻す収納復旧作業も、収納箱１２の前方に対する飛び出し部分がないことから、容易に行うことができる。
【００４８】
図１０は本考案による消火栓装置の他の実施形態をスクリーンの閉鎖状態で示した説明図であり、また図１１にスクリーンの開放状態を示しており、本実施形態にあっては、スクリーンを横方向に開閉するようにしたことを特徴とする。
【００４９】
図１０において、本実施形態の消火栓装置１０は、内部に図１３の従来例と同様に、消火栓弁と消火ホースを収納した金属製の収納箱１２を備え、収納箱１２の前面の開口１４の右側にロールスクリーン装置２６を配置し、ロールスクリーン装置２６から横方向（図示の例では左向き）に不燃性又は難燃性の繊維シートからなるスクリーン２４を引き出し、スクリーン２４の先端（左端）に設けた支持部材２８を開口１４の左側に配置したスクリーン開閉操作部３０に保持して閉鎖状態としている。
【００５０】
スクリーン２４の先端（左端）に設けた支持部材２８の上下両端は開口１４の上下内側に形成されたガイド溝５２に差し込まれており、ガイド溝５２に沿って左右方向に案内移動される。
【００５１】
支持部材２８には、図１１のスクリーン開放状態に示すように、フック穴を備えたフック金具４０が設けられ、スクリーン開閉操作部３０のフック爪５４にフック金具４０を挿通させ、これにより図１０のようにスクリーン２４を閉鎖状態に保持している。
【００５２】
消火栓装置１０を使用する際には、図１０に示すように、ハンドルレバー３２を例えば右回りに回動操作すると、フック金具４０のフック穴５６からフック爪５４が抜けて支持部材２８の保持が解除され、ロールスクリーン装置２６がスクリーン２４を右側に案内移動して巻き取り、図１１のように開口１４が開放される。
【００５３】
図１０及び図１１の実施形態におれるロールスクリーン装置２６及びスクリーン開閉操作部３０の詳細は、図４〜図７に示したと同じであり、その配置方向が相違しているのみである。
【００５４】
なお図１の実施形態はロールスクリーン装置２６を開口１４の下部に配置した場合を例にとっているが、他の実施形態として、ロールスクリーン装置２６を開口１４の上部に配置しても良い。この場合、スクリーン開閉操作部３０は開口１４の下部に配置することになるが、ハンドルレバー３２などの操作部は開口側部や上部の操作し易い位置に設け、ワイヤ連結などによるリンク機構を介した操作構造とすれば良い。
【００５５】
また図１０の実施形態にあっては、ロールスクリーン装置２６を開口右側に配置し、スクリーン開閉操作部３０を開口１４の左側に配置した場合を例にとっているが、左右逆の配置としても良い。
【００５６】
また上記の実施形態に示したスクリーン開閉操作部は一例であり、スクリーン先端の支持部材を保持して開口をスクリーンで閉鎖し、所定の操作により支持部材の保持を解除してスクリーンを開く構造であれば、例えばマグネットを利用した機構その他適宜の構造を適用できる。
【００５７】
また上記の実施形態は、コイルバネを使用してスクリーンを巻き取るロールクリーン装置を使用しているが、モータ駆動によりスクリーンを巻き取る電動型のロールスクリーン装置を使用しても良い。
【００５８】
また、上記の実施形態は二人操作を行う消火栓を例にとっているが、一人操作を行う消火栓についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【００５９】
また本考案の適用対象となる消火栓装置は屋内型に限らない。更に、上記各実施形態で示した消火栓装置の、例えば収納箱に内蔵されるホース類や消火栓弁、通報パネル部の構成及び配置その他、扉部分以外の構成についても任意であり、適宜の構成を採用して良い。要するに、消火栓装置の開口部に対しロールスクリーン装置とスクリーン開閉操作部を用いた開閉構造を設け、本願の課題の一部又は全部を解決し、或いは若干でも改善するものであれば良い。
【００６０】
また、スクリーンに使用する繊維シートは不燃性或いは難燃性素材であれば良く、金属繊維を用いることも妨げない。
【００６１】
また、図１の実施形態にあっては、ハンドルレバー３２のレバー先端を右側に向けて配置し、下向きに回動操作（右回り）して開放しているが、ハンドルレバー３２のレバー先端を左側に向けて配置し、下向きに回動操作（左回り）して開放するようにしても良い。
【００６２】
また本考案は、その目的と利点を損なうことのない適宜の変形を含み、更に、上記の実施形態に示した数値による限定は受けない。
【符号の説明】
【００６３】
１０：消火栓装置
１２：収納箱
１４：開口
１６：通報パネル
１８：発信機
２０：赤色表示灯
２２：音響孔
２４：スクリーン
２６：ロールスクリーン装置
２８：支持部材
２８ａ：ガイド部
３０：スクリーン開閉操作部
３２：ハンドルレバー
３４：ローラパイプ
３６：基台
３８：サイドホルダ
４０：フック金具
４２：固定軸
４４：固定フランジ
４６：回転フランジ
４８：コイルバネ
５０：操作ボックス
５２：ガイド溝
５４：フック爪
５６：フック穴
【図１】
0003197812.tif 000003
【図２】
0003197812.tif 000004
【図３】
0003197812.tif 000005
【図４】
0003197812.tif 000006
【図５】
0003197812.tif 000007
【図６】
0003197812.tif 000008
【図７】
0003197812.tif 000009
【図８】
0003197812.tif 000010
【図９】
0003197812.tif 000011
【図１０】
0003197812.tif 000012
【図１１】
0003197812.tif 000013
【図１２】
0003197812.tif 000014
【図１３】
0003197812.tif 000015
【図１４】
0003197812.tif 000016